(57)【要約】【課題】保険指導対象者の選定基準値を身長に合わせて補正して表示することが可能な計測具を提供できるようにする。【解決手段】測定用テープの全長を可変にする長さ可変手段を設け、前記長さ可変手段の状態に応じ計測値を得ることができるようにすることにより、保険指導対象者の選定基準値の腹囲を使用者の身長に合わせて補正して表示することを可能として、前記保険指導対象者の選定基準値を超えている使用者に対して、メタボ健診における第（１）の条件に引っかかってしまっていることを実感させることができるようにする。【選択図】図１
2009247869.tif 000002
【特許請求の範囲】
【請求項１】
測定用テープの全長を可変にする長さ可変手段を設け、前記長さ可変手段の状態に応じ計測値を得ることができるようにしたことを特徴とする計測具。
【請求項２】
前記測定用テープは、その一側面及び他側面に計測用目盛りが標記されていて、前記長さ可変手段の状態は、前記一側面及び他側面において相互に関連することを特徴とする請求項１に記載の計測具。
【請求項３】
前記長さ可変手段が可変するのは、前記一側面においては男性の身長に対応する目盛りであり、前記他側面においては女性の身長に対応する目盛りであることを特徴とする請求項１または２に記載の計測具。
【請求項４】
前記長さ可変手段は、保険指導対象者の選定基準値として設定された腹囲を身長に合わせて補正するために用いることを特徴とする請求項１〜３の何れか１項に記載の計測具。
【発明の詳細な説明】
【技術分野】
【０００１】  本発明は計測具に関し、特に、使用者の腹囲を計測するために用いて好適な用具に関する。
【背景技術】
【０００２】  体幹部の脂肪測定の際によく利用される測定要素の一つとして、臍付近における胴回り長である腹囲長を挙げることができる。従来、この腹囲長の測定は、例えば、ヒモ状のメジャーを用いて行われてきた。【０００３】  これは、内臓脂肪型の肥満に加えて、高血圧，高脂血症又は高血糖などの症状が複数重なった状態を呼ぶものであり、近年では、中高年男性の約半数，女性では約二割がその症候群であるメタボリック症候群（または内臓脂肪症候群や代謝症候群など）、または予備群であるとも言われ、高い注目を集めている。【０００４】  前記メタボリック症候群は、一般に下記（１），（２）の双方の条件を満たしているか否かにより、このメタボリック症候群であるか否かが診断される。（１）腹囲（ヘソの位置の胴回り）が男性の場合８５ｃｍ以上，女性の場合９０ｃｍ以上であること。（２）高血圧、高脂血症、高血糖のうちの何れか二つ以上の項目に該当することである。【０００５】  前記（１）の条件の診断を行うために腹囲の計測を行う場合、例えば市販の一般的なメジャー（巻尺）を用いて気軽に行うことができるので、前述のメタボリック症候群であるか否かを診断するための一つの目安として非常に好適である。【０００６】  ところで、この種のメジャーは、一般に、特許文献１に記載の通り、目盛り（指標部）が設けられた長尺体を本体部から引き出し、この長尺体の引き出し量に応じて長さを計測することができる。【０００７】
【特許文献１】特開２００５−１７２５１４号公報
【発明の開示】
【発明が解決しようとする課題】
【０００８】  前述したように、メタボリック症候群であるか否かを診断するための目安としての腹囲は、男性の場合８５ｃｍ以上、女性の場合９０ｃｍ以上であるとされているが、この腹囲の値については身長が考慮されていないので、メタボリック症候群を診断するためのパラメータとして採用することに疑問視する声が聞かれていた。【０００９】  すなわち、例えば、男性の場合について言えば、身長１６０ｃｍの男性も、身長１８０ｃｍの男性も同一に８５ｃｍをメタボリック症候群の診断基準とするのは適当ではないと考える人々も多数存在していた。このため、腹囲が８５ｃｍ以上であっても、「自分は背が高い」として、腹囲が８５ｃｍ以上になっても診断基準を無視する傾向があった。【００１０】  そこで、身長の半分の腹囲を基準にして太り過ぎか否かを判断する考えが広まっている。すなわち、腹囲８５ｃｍの診断基準を身長１７０ｃｍの男性に適用し、身長１８０ｃｍの男性は９０ｃｍ、身長１６０ｃｍの男性は腹囲８０ｃｍを適用する企業も増加してきている。【００１１】  前述のように、身長の半分の腹囲を基準にして太り過ぎか否かを判断することは、男性の平均身長が略１７０ｃｍであること、及び健康診断で基準としている腹囲８５ｃｍという値からも合理的である。【００１２】  しかしながら、女性の場合の平均身長は１６０ｃｍ程度であるので、身長の半分の腹囲を基準にして太り過ぎか否かを判断するようにした場合、腹囲８０ｃｍが診断基準となってしまう。したがって、メタボ検診において女性の診断基準としている９０ｃｍと比較すると、１０ｃｍも乖離してしまう問題点があった。【００１３】  また、メタボ検診の診断基準である男性の腹囲８５ｃｍ、女性の腹囲９０ｃｍを表記して、基準の腹囲を超えないように管理するために、「メタボメジャー」と称するメジャーが製品化されているが、使用者の身長を考慮した「メタボメジャー」を作成する場合には、製品の種類が膨大になってしまう不都合があった。【００１４】  本発明は前述の問題点に鑑み、保険指導対象者の選定基準値を使用者の身長に合わせて補正して表示することが可能な計測具を提供できるようにすることを目的としている。
【課題を解決するための手段】
【００１５】  本発明の計測具は、測定用テープの全長を可変にする長さ可変手段を設け、前記長さ可変手段の状態に応じ計測値を得ることができるようにしたことを特徴とする。
【発明の効果】
【００１６】  本発明によれば、保険指導対象者の選定基準値の腹囲を使用者の身長に合わせて補正して表示することが可能な計測具を提供することができる。これにより、前記保険指導対象者の選定基準値を超えている使用者に対して、メタボ健診における第（１）の条件に引っかかってしまっていることを実感させることができる。
【発明を実施するための最良の形態】
【００１７】（第１の実施形態）
次に、図面を参照しながら本発明の計測具の実施形態を説明する。
図１に示すように、本実施形態の計測具は中心軸１６を中心として、計測テープ１２を本体１０に対して引き出し、巻き戻し自在に設けると共に、この計測テープ１２を巻き戻し方向に常時付勢する巻き戻し付勢手段（図示せず）を有している。特に、本実施形態の計測具は、計測テープ１２の先端部において、図１において破線Ａ、Ｂで示した部分に大きな特徴を有している。破線Ａ、Ｂ部分の特徴は図２を参照しながら詳述する。【００１８】  計測テープ１２の先端部には掛止具１１が配設されている。また、この掛止具１１には、コ字状のフック１１ａが取り付けられていて、図２（ａ）に示すように、フック１１ａに計測テープ１２が係合している。この係合は、計測テープ１２の先端部がフック１１ａの一側から入って他側に通り抜けるようにして行われており、フック１１ａに対して計測テープ１２は自由に移動することができるように係合している。【００１９】  フック１１ａを通り抜けた計測テープ１２の先端部は、平面が「日」上のスライダー１３の中央部に固着されている本実施形態においては、図２（ｃ）に示すように「ハトメ玉」１２ａを用いて固着している。【００２０】  スライダー１３は、掛止具１１が本体１０から引き出される長さを調整するために配設されているものであり、図２（ｂ）には、計測テープ１２の一側面（男性計測用）に表記されたメモリが「１７０ｃｍ」の位置に固定されている様子を示している。この「１７０ｃｍ」の位置は、保険指導対象者の選定基準値に対応する身長に相当している。【００２１】  図２（ｂ）に示す位置にスライダー１３を固定した状態で、図３（ａ）に示すように、男性が「腹部Ａ」を計測する場合について説明する。男性が「腹部Ａ」を計測する場合は、図１において時計回り方向に計測テープ１２を使用する。そして、掛止具１１を男性用掛止孔１４に掛止する。このときに計測される「計測値Ｗ１」は、図４（ａ）に示すように、計測テープ１２が本体１０から引き出された長さβ１に、本体１０のテープ引き出し口と男性用掛止孔１４との長さα１とを足した長さとなる。【００２２】  図４（ａ）に示すように、「計測値Ｗ１」が「８５ｃｍ」である場合に、符号４０で示すように「０／８５」と標記している。また、「計測値Ｗ１」が「９０ｃｍ」である場合に符号４１で示すように「＋５／９０」と標記し、「８５ｃｍ」と「９０ｃｍ」との間を、注意すべき腹囲であることを報知するために「黄色」に着色している。【００２３】  さらに、「計測値Ｗ１」が「９５ｃｍ」である場合には符号４２で示すように「＋１０／９５」と標記し、「９０ｃｍ」以上のメモリ部分には、太りすぎであることを十分に注意すべきであることを報知するために「赤色」に着色している。一方、「計測値Ｗ１」が「８５ｃｍ」以下の場合には、符号４３で示すように、「−５／８０」のように標記している。【００２４】  前述したような標記を行うことにより、身長が「１７０ｃｍ」の男性の使用者は、自分の「腹部Ａ」が保険指導対象者の選定基準値（８５ｃｍ）に対してどのような値であるのかを「実感」として認識することができる。前述した説明は、「１７０ｃｍ」の男性の場合である。以下に、身長が「１７０ｃｍ」以外の使用者の場合について説明する。【００２５】  本実施形態の計測具を、男性の使用者が身長に合わせて調整する場合は、スライダー１３を図４（ａ）中に示した「矢印ｙ１」のように移動させることにより実現することができる。本実施形態の計測具は、図４（ａ）において「符号ｄ１」で示したスライダー１３と掛止具１１との間は、計測テープ１２が２重になっている。【００２６】  したがって、図４（ａ）において、スライダー１３を右側に移動させて「１８０ｃｍ」と標記されている位置に移動させると、「符号ｄ１」で示したスライダー１３と掛止具１１との間は「５ｃｍ」短くなる。これにより、「計測値Ｗ１」はスライダー１３が「１７０ｃｍ」に位置していた場合と比較して「５ｃｍ」長くなる。【００２７】  このため、本実施形態の計測具の場合は、身長が「１８０ｃｍ」の使用者の場合には、身長の半分の「９０ｃｍ」を保険指導対象者の選定基準値「０／８５ｃｍ」と補正して計測することができる。このように補正する計測は、如何なる身長においても同様に行うことができる。したがって、本実施形態の計測具によれば、如何なる身長の使用者も自分の「腹部Ａ」が保険指導対象者の選定基準値（８５ｃｍ）を、身長に合わせて補正した基準値に対してどのような値であるのかを「実感」として認識することができる。【００２８】  次に、本実施形態の計測具を女性が使用する場合について説明する。
女性が使用する場合は、計測テープ１２の他側面を使用する。すなわち、男性が使用する一側面の裏面を使用する。【００２９】  女性が使用する場合には、図２（ｃ）に示すように、スライダー１３の端部に対応する位置に身長に対応する目盛りが標記されている。図２（ｃ）の場合、「１６０ｃｍ」の目盛り位置にスライダー１３の端部が位置している。この位置は、日本人女性の平均身長に近い値である。なお、厳密に言えば「１６０ｃｍ」が日本人女性の平均値ではないが、本実施形態においては、区切りが良いので「１６０ｃｍ」を日本人女性の平均値としている。【００３０】  前述のようにスライダー１３を日本人女性の平均値である「１６０ｃｍ」に合わせた状態において、女性使用者の腹部の周囲を計測する場合には、図３（ｂ）に示したように、「反時計回り方向」に計測テープ１２を「腹部Ｂ」に回して、掛止具１１を女性用掛止孔１５に掛止する。このときに計測される「計測値Ｗ２」は、図４（ｂ）に示すように、計測テープ１２が本体１０から引き出された長さβ２に、本体１０のテープ引き出し口と女性用掛止孔１５との長さα２とを足した長さとなる。【００３１】  図４（ｂ）に示すように、「計測値Ｗ２」が「９０ｃｍ」である場合に、符号４００で示すように「０／９０」と標記している。また、「計測値Ｗ２」が「９５ｃｍ」である場合に符号４０１で示すように「＋５／９５」と標記し、「９０ｃｍ」と「９５ｃｍ」との間を、注意すべき腹囲であることを報知するために「黄色」に着色している。【００３２】  さらに、「計測値Ｗ２」が「１００ｃｍ」である場合には符号４０２で示すように「＋１０／１００」と標記し、「９５ｃｍ」以上のメモリ部分には、太りすぎであることを十分に注意すべきであることを報知するために「赤色」に着色している。一方、「計測値Ｗ２」が「９０ｃｍ」以下の場合には、符号４０３で示すように、「−５／８５」のように標記している。【００３３】  前述したような標記を行うことにより、身長が「１６０ｃｍ」の女性の使用者は、自分の「腹部Ｂ」が保険指導対象者の選定基準値（９０ｃｍ）に対してどのような値であるのかを「実感」として認識することができる。前述した説明は、「１６０ｃｍ」の女性の場合である。以下に、身長が「１６０ｃｍ」以外の女性の使用者の場合について説明する。【００３４】  本実施形態の計測具を、女性の使用者が身長に合わせて調整する場合は、スライダー１３を図４（ｂ）中に示した「矢印ｙ２」のように移動させることにより実現することができる。本実施形態の計測具は、前述したように、図４（ｂ）において「符号ｄ２」で示したスライダー１３と掛止具１１との間は、計測テープ１２が２重になっている。【００３５】  また、保険指導対象者の選定基準値（９０ｃｍ）は、「１６０ｃｍ」を基準としているので、図４（ｂ）において、「符号ｄ２」で示したスライダー１３と掛止具１１との間は、「１０ｃｍ」→「約１１．２ｃｍ」で身長の標記間隔を標記している。【００３６】  このように標記することにより、スライダー１３を動かして使用者の身長に合わせて補正すると、女性使用者の身長の如何に拘らず、「使用者の身長×５６％」を保険指導対象者の選定基準値とすること��できる。したがって、女性の場合も自分の「腹囲Ｂ」が保険指導対象者の選定基準値（９０ｃｍ）を、身長に合わせて補正した基準値に対してどのような値であるのかを「実感」として認識することができる。【００３７】（第２の実施形態）
次に、図５を参照しながら本発明の第２の実施形態を説明する。
前述した第１の実施形態は、本発明を巻尺に適用した例を説明したが、本実施形態においては、テープメジャーに適用した例を示している。【００３８】  本実施形態のテープメジャーの計測テープ１２０の場合も、表面上に標記する目盛りや、計測値を身長に合わせて補正する原理は前述した計測テープ１２と同様である。すなわち、図５（ａ）に示したように、計測テープ１２０の一側面に身長が「１７０ｃｍ」の男性の使用者に合わせてスライダー１３が位置決めされている。この状態において、計測テープ１２０の他側面は、女性の略平均身長に対応する「１６０ｃｍ」の目盛り位置にスライダー１３の端部が位置している。【００３９】  本実施形態の場合には計測テープ１２０の一側端部に係合測端部５１が設けられている。係合測端部５１は、図５（ｃ）及び（ｄ）に示すように、中央部が仕切り部５１ｃにより一側測定孔５１ａと他側測定孔５１ｂとに仕切られている。【００４０】  一側測定孔５１ａは、男性が使用するためのものであり、図５（ｄ）に示すように、計測テープ１２０の使用者の腹部を巻き回してから他側端部５２を一側測定孔５１ａに通し、矢印５２ａのように引くと、計測テープ１２０を使用者の腹部に巻き付けて腹囲を測定することができる。本実施形態においては、測定値は係合測端部５１の入口側で読み取るようにしている。【００４１】  前述したように構成したので、本実施形態の場合も、前述した第１の実施形態の計測具と同様に、保険指導対象者の選定基準値を、身長に合わせて補正した基準値に対してどのような値であるのかを「実感」として使用者が認識することができる。【００４２】（第３の実施形態）
次に、図６を参照しながら本発明の第３の実施形態を説明する。
本実施形態の計測具６０の場合は、前述した第１の実施形態と同様に、巻尺として構成されている。すなわち、中心軸６４を中心として、計測テープ６１を本体に対して引き出し、巻き戻し自在に設けると共に、この計測テープ６１を巻き戻し方向に常時付勢する巻き戻し付勢手段（図示せず）を有している。【００４３】  本実施形態においては、計測テープ６１の端部に掛止具６２を固着している。これは、身長に応じた補正を計測テープ６１で行うのではなく、内部に配設したコンピュータシステムによって行うようにしているからである。【００４４】  すなわち、本実施形態の計測具６０においては、「使用者の身長」、「使用者の性別」、「使用者の年齢」、「使用者の体重」等の情報を入力したり、動作モードを選択したりするための操作ボタン６６ａ〜６６ｆが設けられている。また、動作モードを表示したり、入力情報或いは計測結果を表示したりするための表示部６５が設けられている。【００４５】  このような構成により、使用者は計測テープ６１を腹部に巻きまわして、掛止具６２を掛止孔６３に掛止すると、使用者の身長に応じて補正した計測結果を表示部６５に表示することができる。【００４６】  また、本実施形態の計測具６０の場合は、デジタル計測具の特性を生かして種々の機能を付加している。例えば、計測値の履歴情報を表示部６５に表示したり、過去１ヶ月間の平均値、或いは過去１週間の平均値等を数値により、または特性曲線により表示したりすることができる。また、複数の使用者の情報を個別に格納しておくようにすることができる。具体的に、どのようにして構成するのかは周知の技術を用いて簡単に実行することができるので、本実施形態においては詳細な説明を省略する。
【図面の簡単な説明】
【００４７】
【図１】本発明の第１の実施形態を示し、巻尺に適用した例を示す図である。
【図２】本発明の第１の実施形態を示し、（ａ）は使用者の身長に合わせて補正した計測値が得られるようにする様子を説明する図、（ｂ）は１７０ｃｍの男性使用者が計測する際のスライダーの位置を説明する図、（ｃ）は１６０ｃｍの女性使用者が計測する際のスライダーの位置を説明する図である。
【図３】本発明の第１の実施形態を示し、（ａ）は男性使用者が計測する様子を説明する図、（ｂ）は女性使用者が計測する様子を説明する図である。
【図４】本発明の第１の実施形態を示し、（ａ）は計測テープの一側面に標記されている男性用目盛りの一例を説明する図、（ｂ）は計測テープの他側面に標記されている女性用目盛りの一例を説明する図である。
【図５】本発明の第２の実施形態を示し、本発明をテープメジャーに適用した例を示す図であり、（ａ）は計測テープの一側面に標記されている男性用目盛りの一例を説明する図、（ｂ）は計測テープの他側面に標記されている女性用目盛りの一例を説明する図、（ｃ）は（ａ）中のＸ−Ｘ線に沿う断面図、（ｄ）は男性使用者が腹囲を計測する際に他側端部を一側測定孔に通して計測する様子を説明する図である。
【図６】本発明の第３の実施形態を示し、本発明をデジタル式の巻尺に適用した例を示す図である。
【符号の説明】
【００４８】１０  本体
１１  掛止具
１１ａ  フック
１２  計測テープ
１３  スライダー
１４  男性用掛止孔
１５  女性用掛止孔
１６  中心軸
【図１】
2009247869.tif 000003
【図２】
2009247869.tif 000004
【図３】
2009247869.tif 000005
【図４】
2009247869.tif 000006
【図５】
2009247869.tif 000007
【図６】
2009247869.tif 000008